(57)【要約】【課題】  吊り金具を屋根材に補強部材を介して取り付けて屋根材を損傷することなく雨樋を取り付けることができる樋用取付金具を提供することを課題とする。【解決手段】  山部と谷部を有する金属薄板の折版が敷設された屋根の軒先に樋を取り付けるために、両端部が樋の開口両側縁に係止されて略水平状態に取り付けられる支持金具と、支持金具の略中央の孔に垂直方向に通されて支持金具を吊り下げ支持する吊りボルトとを有し、補強部材の一端が支持金具の一方の端部に固着され他端が吊りボルトの上端に取り付けられる。【選択図】  図１
2009084874.tif 000002
【特許請求の範囲】
【請求項１】
山部と谷部を有する金属薄板の折版が敷設された屋根の軒先に設置される樋を取り付けるために、両端部が樋の開口両側縁に係止されて略水平状態に取り付けられる支持金具と、支持金具の略中央の孔に垂直方向に通されて支持金具を吊り下げ支持する吊りボルトとを有し、補強部材の一端が支持金具の一方の端部に固着され他端が吊りボルトの上端に取り付けられることを特徴とする樋用取付金具。
【請求項２】
前記補強部材が支持金具と一体的に形成されていることを特徴とする請求項１記載の樋用取付金具。
【請求項３】
前記補強部材が中間で伸縮自在に形成されていることを特徴とする請求項１記載の樋用取付金具。
【請求項４】
前記補強部材が吊りボルトの上端に略水平に設けられる板状の部材と、板状の部材の一端と支持金具の一端とを連結するボルト部材とを有していることを特徴とする請求項１記載の樋用取付金具。
【請求項５】
前記補強部材がＬ形部材と板状の部材とから形成され、両部材を長さ調節可能に連結したことを特徴とする請求項１記載の樋用取付金具。
【請求項６】
補強部材が固着された支持金具の一端部を樋の側縁の窪み部に差し込んで取付けることを特徴とする請求項１記載の樋用取付金具。
【発明の詳細な説明】
【技術分野】
【０００１】
本発明は、樋用取付金具に係り、特に、屋根を葺く屋根材の軒先に取り付けるための、積雪や風圧等の荷重による樋の撓みを防止するように構成された樋用取付金具に関するものである。
【背景技術】
【０００２】
従来、一般の家屋の屋根の軒先に取り付けられる雨樋は、軒先の垂木に取り付けられた取付金具に針金で取り付けて固定するようにしている。
【０００３】
特に、工場や公民館、体育館等の公共の施設のような大きな建物においては、凹凸部を有する金属薄板の折版が屋根材として用いられ、その軒先に雨樋が取り付けられている。
【０００４】
このような金属薄板の折版の屋根に雨樋を取り付けるための取付金具としては、例えば、特開２００４−３００７１６号公報に示される吊り金具がある。
【特許文献１】特開２００４−３００７１６号公報
【発明の開示】
【発明が解決しようとする課題】
【０００５】
上記従来の吊り金具においては、同公報に示されるように、上部が開口した凹形の雨樋の両側縁に係止される支持金具と、この支持金具の中央に通されて屋根に取り付けられる吊りボルトとから構成されている。
【０００６】
この吊り金具は、支持金具の左右両端に設けられた耳部受部に、上面にばね板を圧接して雨樋の耳部を挟持して支持し、略水平に支持された支持金具の中央に吊りボルトの下端を装着して吊りボルトの上端を屋根材に取り付けて支持金具を装着支持するようにしている。
【０００７】
しかしながら、このような金属薄板の折版屋根は、屋根材自体が薄い金属板であるために弱く、雨樋が風で煽られて揺らぐと、吊りボルトの吊り下げ支持部分に大きな力が作用するので、屋根材が破損して損傷するという問題がある。
【０００８】
そのために、屋根材を損傷することなく吊り金具を屋根材に取り付けることが必要である。
【０００９】
本発明は、上記問題点に鑑み、吊り金具を屋根材に補強部材を介して取り付けて屋根材を損傷することなく雨樋を取り付けることができる樋用取付金具を提供することを課題とするものである。
【課題を解決するための手段】
【００１０】
上記課題を解決するために、本発明の樋用取付金具は、山部と谷部を有する金属薄板の折版が敷設された屋根の軒先に樋を取り付けるために、両端部が樋の開口両側縁に係止されて略水平状態に取り付けられる支持金具と、支持金具の略中央の孔に垂直方向に通されて支持金具を吊り下げ支持する吊りボルトとを有し、補強部材の一端が支持金具の一方の端部に固着され他端が吊りボルトの上端に取り付けられていることを特徴とする。
【００１１】
また、本発明の樋用取付金具は、前記補強部材が支持金具と一体的に形成されていることを特徴とする。
【００１２】
更に、本発明の樋用取付金具は、前記補強部材が中間で伸縮自在に形成されていることを特徴とする。
【００１３】
更にまた、本発明の樋用取付金具は、前記補強部材が吊りボルトの上端に略水平に設けられる板状の部材と、板状の部材の一端と支持金具の一端とを連結するボルト部材とを有していることを特徴とする。
【００１４】
本発明の樋用取付金具は、前記補強部材がＬ形部材と板状の部材とから形成され、両部材を長さ調節可能に連結したことを特徴とする。
【００１５】
本発明の樋用取付金具は、補強部材が固着された支持金具の一端部を樋の側縁の窪み部に差し込んで取付けることを特徴とする。
【発明の効果】
【００１６】
本発明によれば、樋用取付金具は、補強部材の一端が支持金具に取り付けられ、他端が吊りボルトの上端に取り付けられるので、補強部材を介して吊りボルトが屋根材に取り付けられているために屋根材を損傷することがなく、吊りボルトのみならず補強部材も長さが調節可能であるために取付金具自体を如何なる箇所にも調節自在に適切に取り付けることができるし、樋を建物に強固に取り付けることができ、樋の取付強度を向上することができ、積雪や風圧等の荷重による樋の撓みを防止するように樋用取付金具を構成することができる。
【発明を実施するための最良の形態】
【００１７】
以下に、添付図面を参照して、本発明の樋用取付金具の幾つかの実施形態を詳細に説明する。これら実施形態において、同一部分には同一の符号が付けられて用いられている。
【００１８】
（実施例１）
図１は、本発明の樋用取付金具の一実施例を示す概要正面図で、図２はその側面図である。
【００１９】
図示の実施例における本発明の樋用取付金具１０は、断面形状が交互に凹凸部が連続するように波形に形成された、山部２と谷部３を有する折版と一般的に呼称される金属薄板の屋根材１で形成された屋根の軒先に、例えば塩ビのような合成樹脂材の樋５を設置するように用いられる。
【００２０】
図示されるように、本発明の樋用取付金具１０は、帯金のような細長い金属板材を折曲げて形成された本体となる支持金具１１と、この支持金具１１の略中央の孔１４に通されて支持金具１１を略水平状態に吊り下げ支持する吊りボルト１２とを有しており、補強部材１３の一端１３Ａが支持金具１１の一方の端部１１Ａに、例えば溶接して取り付けられていて、補強部材１３の他端１３Ｂに孔が設けられて吊りボルト１２の上端が通されて取り付けられるようになっている。
【００２１】
支持金具１１は、中央が皿形の凹部１５となるように先ず折り曲げられ、次いで、この凹部１５から左右に略水平に腕部１６、１６が延びており、これら腕部１６、１６の先端が下側に向かって折り曲げられて樋５の開口縁部６の耳部７を受ける受部１７、１７が形成されている。支持金具１１の左右両端部１１Ａ、１１Ｂの受部１７、１７に対して、支持金具１１の中央の凹部１５の下側面に、外方に向かって延びるばね板１８、１８が、例えば溶接して設けられており、自由端部が押されることによって受部１７、１７内の方に弾性変形できるようになっている。
【００２２】
従って、支持金具１１は、図示の形状に、細長い金属板材を、中央に凹部１５を形成して、この凹部１５から左右外方に腕部１６、１６が延びており、左右の腕部１６、１６の両端部１１Ａ、１１Ｂに下向きに開口するように折り曲げられた受部１７、１７を形成するように構成されている。
【００２３】
また、支持金具１１の凹部１５の中央に設けられる孔１４は、長孔が好ましく、このような長孔によって吊りボルト３の取付位置の調節ができるように形成されるのが好適である。勿論、丸孔を設けるようにしてもよいことは言うまでもない。
【００２４】
支持金具１１は、樋５の上方開口部の両側縁６の耳部７を受けて支持する受部１７、１７を腕部１６、１６の外端に有しており、この受部１７、１７に対向してばね板１８、１８が弾性変位可能に支持金具１１の凹部１５の下側に外方に向かって左右の方向に延びるように取付けられている。従って、樋５の開口部両側の側縁６、６の耳部７、７を、ばね板１８、１８の自由端部を弾性変位するように押圧して押し込んで嵌め込むことによって、樋５を支持金具１１に取り付けることができるようになっている。
【００２５】
吊りボルト１２は、下端部１２ａと上端部１２ｂにねじが切られており、下端部１２ａが複数個のナット１９ａ、１９bによって支持金具１１に取付けられ、上端部１２ｂが皿形座金１９Ａと平座金１９Ｂ及び緩衝リング１９Ｃを介して複数個のナット１９ｃ、１９ｄによって補強部材１３の上端部１３Ｂに取付けられる。また、吊りボルト１２は、下端部１２ａと上端部１２ｂとにねじを切っても良く、あるいは全体にねじを切ったねじロッドのようなねじ部材を用いるようにしても良い。
【００２６】
補強部材１３は、図示のように下端と上端とが互いに反対方向に略直角に折り曲げられて全体が稲妻形に形成され、上端の折曲部１３Ｂに吊りボルト１２のための孔が設けられ、下端の折曲部１３Ａが支持金具１１の一方の端部１１Ａに溶接して固着されており、支持金具１１と補強部材１３とが一体的に形成されている。また、補強部材１３を支持金具１１に溶接する代わりに、リベット止めして固着することもできる。
【００２７】
このように構成された本発明の樋用取付金具１０を用いて屋根の軒先に樋５を実際に取り付けるには、先ず、補強部材１３が一体的に取り付けられた図１、図２に示される支持金具１１を、屋根の取り付けるべき位置に配置して、取り付けるべき位置の屋根の山部２に取り付けのための孔を設け、補強部材１３の上端の折曲部１３Ｂを屋根材１の山部２の上に配置して補強部材１３の孔と屋根材１の山部２の孔とを一致させて吊りボルト１２の上端部１２ｂを下方からこれら一致した孔に通し、吊りボルト１２の下端部１２ａが支持金具１１の凹部１５の上の位置に来るようにする。
【００２８】
次いで、吊りボルト１２を下方に動かして吊りボルトの１２下端部１２ａを支持金具１１の凹部１５の孔１４に上方から差し込んで最下部のナット１９ａを嵌めて締めると共に、凹部１５の上に位置するナット１９ｂを締めて支持金具１１をナット１９ａ、１９ｂの間にしっかりと締めて支持金具１１を吊りボルト１２に固着する。
【００２９】
次いで、屋根材１の山部２の孔と、補強部材１３の折曲部１３Ｂの孔とを上方に向かって突き通る吊りボルト１２の上端部１２ｂに、緩衝リング１９Ｃと皿形座金１９Ａとを嵌めて最上部のナット１９ｄを取り付けると共に、屋根材１の山部の下側に位置するナット１９ｃ（このナット１９ｃは座金１９Bを介して吊りボルト１２に予め取付られている）を上方に向かって締めると同時に、最上部のナット１９ｄを下方に向かって締めて屋根材１と補強部材１３の上端部１３Ｂとを２つのナット１９ｃ、１９ｄの間にしっかりと締め付けて固定する。これによって、屋根材１の山部２に補強部材１３と吊りボルト１２とによって支持金具１１が略水平状態にしっかりと取り付けられるようになる。
【００３０】
同様にして、所定の間隔を置いて樋用取付金具１０を屋根材１に対して順に取り付けていく。
【００３１】
こうして、屋根材１に所定の間隔を置いて取り付けられた樋用取付金具１０の支持金具１１に対して、上部が開口した樋５の両側縁の耳部７、７を、支持金具１１の腕部１６、１６の先端の受部１７、１７に下方から嵌め込んでいけば、樋５を樋用取付金具１０の支持金具１１にしっかりと取り付けることができるようになり、所用する樋５の取付工事が完了する。なお、このような樋５の取付けに際しては、樋用取付金具１０を全て調整して屋根に取付けた後に、樋５を樋用取付金具１０に一挙に取付けるようになり、これによって取付工事が簡単に、かつ短時間で行うことが出来るようになる。
【００３２】
（実施例２）
図３及び図４は、本発明の樋用取付金具の別の実施例を示す概要正面図及び側面図である。
【００３３】
図示の実施例における本発明の樋用取付金具は、前側が高く、後側が低い樋を設置するように用いられる場合の樋用取付金具である。
【００３４】
図示されるように、樋用取付金具２０の支持金具２１と吊りボルト２２は、先の第１の実施例の場合と略同じであり、前側が高くなった樋に適用できるように、樋の高さの異なる耳部に対応する支持金具２１の形状が、前側の受部２７Ａが高い位置にあって、後側の受部２７Ｂが低い位置に配置されるように形成されていることが異なっている。
【００３５】
樋用取付金具２０は、細長い金属板材を折曲げて形成された本体となる支持金具２１と、この支持金具２１の略中央の孔２４に通されて支持金具２１を吊り下げて略水平状態に支持する吊りボルト２２とから構成されており、支持金具２１の一方の端部２１Ａに形成された前側の受部２７Ａが高い位置に設けられ、他方の端部２１Ｂに形成された後部の受部２７Ｂがそれよりも低い位置に設けられていて、支持金具２１の前側の受部２７Ａに補強部材２３の一方の端部２３Ａが、例えば溶接して取り付けられている。補強部材２３の他端には孔が設けられていて、吊りボルト２２の上端２２ｂが通されて屋根材に取り付けられるようになっている。
【００３６】
従って、支持金具２１は、中央が凹部２５となるように折り曲げられ、この凹部２５の前壁が高く形成され、そこから前側の腕部２６Ａが前方に延びており、そして下方に折り曲げられて受部２７Ａが一方の端部２１Ａに形成されている。次いで、この前側の腕部２６Ａの上に、補強部材２３の折曲部２３Ａが溶接して取り付けられており、補強部材２３の他方の端部２３Ｂが折り曲げられてこの折曲部２３Ｂに、吊りボルト２２が通される孔が設けられている。また、後側の腕部２６Ｂは、後方に延び、下方に折り曲げられて受部２７Ｂが形成されている。支持金具２１の前側及び後側の受部２７Ａ、２７Ｂにはばね板２８Ａ、２８Ｂがそれぞれ溶接して設けられており、自由端部が押されることによって受部２７Ａ、２７Ｂ内の方に弾性変形できるようになっている。
【００３７】
従って、支持金具２１は、図示の前側が高くなった形状に、細長い金属板材の中央に凹部２５を形成して、この凹部２５の前壁を高くしてそこから左右外方に腕部２６Ａ、２６Ｂがそれぞれ延びており、各腕部２６Ａ、２６Ｂの両端部に下向きに開口するように折り曲げられた受部２７Ａ、２７Ｂがそれぞれ形成されている。
【００３８】
また、支持金具２１の凹部２５の中央に設けられる孔２４は、同様に長孔が好ましく、好適であり、必要に応じて丸孔にすることもできる。
【００３９】
支持金具２１は、樋の上方開口部の両側縁の高さの異なる耳部を受けて支持する受部２７Ａ、２７Ｂを腕部２６Ａ、２６Ｂの外端に有しており、これら受部２７Ａ、２７Ｂに対向してばね板２８Ａ、２８Ｂが弾性変位可能に支持金具２１の腕部２６Ａ、２６Ｂの下側に外方に向かって延びるように取付けられている。従って、樋の開口部両側の高さの異なる側縁の耳部を、ばね板２８Ａ、２８Ｂの自由端部を弾性変位するように押圧して押し込んで嵌め込むことによって、樋を支持金具２１に取り付けることができるようになっている。
【００４０】
吊りボルト２２は、上記実施例の吊りボルト１２と同様に形成されており、下端部が複数個のナット２９ａ、２９ｂによって支持金具２１に取付けられ、上端部２２ｂが皿形座金２９Ａと平座金２９Ｂ及び緩衝リング２９Ｃを介して複数個のナット２９ｃ、２９ｄによって補強部材２３の上端部２３Ｂに取付けられる。また、吊りボルト２２は、上端部２２ｂと下端部２２ａとにねじを切る外に、全体にねじを切ったねじ部材を用いることも可能である。
【００４１】
補強部材２３は、図示の如く上端２３Ｂと下端２３Ａとが略直角に折り曲げられて全体が稲妻形に形成され、上端の折曲部２３Ｂに吊りボルト２２のための孔が設けられ、下端の折曲部２３Ａが支持金具２１の一方の端部２１Ａに溶接して固着されており、支持金具２１と補強部材２３とが一体的に形成されている。また、補強部材２３は溶接する外に、リベット止めして支持金具２１に固着することも可能である。
【００４２】
このように構成された本実施例の樋用取付金具２０を用いて屋根の軒先に、前高の樋を取り付けるには、補強部材２３が一体的に取り付けられた図示の前高の支持金具２１を、屋根の取り付けるべき位置に配置して、上記した実施例におけると同様にして取り付けることができる。
【００４３】
次いで、屋根材の山部の孔と、補強部材２３の折曲部２３Ｂの孔とを上方に向かって突き通る吊りボルト２２の上端部２２ｂに、緩衝リング２９Ｃと皿形座金２９Ａとを嵌めて最上部のナット２９ｄを取り付けると共に、屋根材の山部の下側に位置するナット２９ｃ（このナット２９cは座金２９Bを介して吊りボルト２２に予め取付けられている）を上方に向かって締めると同時に、最上部のナット２９ｄを下方に向かって締めて屋根材と補強部材２３とを２つのナット２９ｃ、２９ｄの間にしっかりと締め付けて固定する。これによって、屋根材の山部に補強部材２３と吊りボルト２２とによって支持金具２１がしっかりと取り付けられるようになる。
【００４４】
同様にして、所定の間隔を置いて樋用取付金具２０を屋根材に順に取り付けていく。
【００４５】
こうして、屋根材に所定の間隔を置いて取り付けられた樋用取付金具２０の支持金具２１に対して、上部が開口した前高の樋の耳部を、支持金具２１の対応する受部に下方から嵌め込んで前高の樋も樋用取付金具２０の支持金具２１にしっかりと取り付けることができ、所用する前高の樋の取付工事が可能となる。
【００４６】
（実施例３）
図５は、本発明の樋用取付金具の第３の実施例を示す概要正面図で、右方部分に補強部材の長さ調節部分が示されている。
【００４７】
図示されるように、樋用取付金具３０は、補強部材３３が長さを調節できるように２つの部材３３Ａ、３３Ｂから形成されていることが、先の第１の実施例のものと異なっており、他は同じである。
【００４８】
本実施例の樋用取付金具３０においては、補強部材３３が２つの部材３３−１、３３−２から形成され、これら両部材３３−１、３３−２を長さを調節できるようにボルト３３−３とナット３３−４とによって連結されている。従って、一方の部材３３−１の端部の孔３３−５にボルト３３−３が取り付けられ、他方の部材３３−２の端部に長孔３３−６が設けられて、ボルト３３−３とナット３３−４とによって２つの部材３３−１、３３−２の取付長さを調節することができるようになっている。
【００４９】
従って、樋用取付金具３０は、補強部材３３のボルト３３−３のナット３３−４を緩めて取付時の補強部材３３の取付長さを調節して所定の長さに補強部材３３の長さを定めて取り付けることができる。なお、このような補強部材３３の２つの部材３３−１、３３−２の取付けを、セルフドリリングビス（ファスナ）を用いて取付けるようにすることもできる。
【００５０】
（実施例４）
図６は、本発明の樋用取付金具の第４の実施例を示す概要正面図である。
【００５１】
図示の樋用取付金具においては、補強部材に、吊りボルトと同様な長ボルトと、細長い板部材とが更に用いられていることが、先の第１の実施例の場合と異なっている。
【００５２】
図示されるように、樋用取付部材４０は、第１の実施例と同様な細長い金属板材を折曲げて形成された支持金具４１と、この支持金具４１の略中央の孔４４に通されて支持金具４１を吊り下げ支持する吊りボルト４２とを有すると共に、更に、補強部材としての長ボルト４３と板部材４３−１とを有している。板部材４３−１は一方の端部の孔に吊りボルト４２の一端が通されて屋根部材に取り付けられ、他端の孔に別の長ボルト４３が通されて取り付けられるようになっている。従って、長ボルト４３のナット４３ａ、４３ａ、４３ｂ、４３ｂによって長ボルト４３の取付け長さを調節することができ、樋５を所定の如く設置することができる。
【００５３】
（実施例５）
図７は、本発明の樋用取付金具の第５の実施例を示す概要正面図である。
【００５４】
図示される樋用取付金具において、樋用取付金具５０は、第１の実施例と同様な細長い金属板材を折曲げて形成された支持金具５１と、この支持金具５１の略中央の孔５４に通されて支持金具５１を略水平な状態に吊り下げ支持する吊りボルト５２とを有しており、補強部材５３が２つの部材５３−１、５３−２から折り曲げて形成されていることが、先の第１および第３の実施例の補強部材１３、３３と異なっている。
【００５５】
すなわち、本実施例の補強部材５３は、細長い板部材をＬ字形やコの字形に折り曲げた２つの部材５３−１、５３−２から形成され、両部材５３−１、５３−２を、長さを調節できるようにボルト５３−３とナット５３−４、５３−５によって連結している。
【００５６】
一方の部材５３−１は、一方の端部５３Ａが支持金具５５の腕部５６に溶接して固着されており、他方の端部５３aにボルト５３−３が取り付けられている。また、他方のＬ字形の部材５３−２は、一方の端部５３Ｂに吊りボルト５２のための孔が設けられていて吊りボルト５２が取り付けられ、他方の端部５３−ｂが略直角に折り曲げられていて孔が設けられており、この孔にボルト５３−３が通されてナット５３−５が取り付けられている。
【００５７】
従って、ボルト５３−３に対する２つのナット５３−４、５３−５の締め付けを変えて端部５３a、５３b間の間隔を調節することによって、部材５３−１、５３−２の取付長さを調節することができるようになっている。
【００５８】
これによって、樋用取付金具５０は、補強部材５３のボルト５３−３のナット５３−４、５３−５を締めるか緩めるかして取付時の補強部材５３の取付長さを調節して所定の長さに補強部材５３の長さを定めて取り付けることができ、これによって樋５を所定の如く設置することができる。
【００５９】
（実施例６）
図８は、本発明の樋用取付金具の第6の実施例を示す概要正面図である。
【００６０】
図示の実施例における本発明の樋用取付金具は、補強部材６３が一端が支持金具６１の一方の腕部の端部に溶接して固着されていることが、上記の第１、第３および第５の実施例の補強部材１３、３３、５３と異なっている。
【００６１】
すなわち、本実施例の補強部材６３は、細長い板部材を略Ｌ字形に折り曲げて形成され、一方の端部６３Aが支持金具６１に溶接され、他方の端部６３Bに吊りボルト６２が取り付けられるようになっている。
【００６２】
従って、屋根材に所定の間隔を置いて取り付けられた樋用取付金具６０の支持金具６１に対して、上部が開口した樋７の両側縁の耳部７を、支持金具６１の腕部６６の先端の受部６７に下方から嵌め込んでいけば、樋５を樋用取付金具６０の支持金具６１にしっかりと取り付けることができるようになり、所用する樋５の取付工事が完了し、屋根の軒先に樋をしっかりと固着して取り付けることができる。
【００６３】
（実施例７）
図９は、本発明の樋用取付金具の第７の実施例を示す正面概要図である。
【００６４】
図示の実施例における本発明の樋用取付金具７０は、補強部材７３が２つの部材７３−１、７３−２と、調節用のボルト７３−３とから形成されていることが、上記の第１、第３および第５の実施例の補強部材１３、３３、５３と異なっている。
【００６５】
すなわち、本実施例の補強部材７３は、細長い板部材を略コの字形に折り曲げて形成された部材７３−１と、真っ直ぐな細長い板部材７３−２と、これら部材７３−１と板部材７３−２との間を連結する調節用のボルト７３−３とから形成されており、コの字形の部材７３−１が支持金具７１の一方の腕部７５に溶接して固着されている。コの字形の部材７３−１は、一方の端部７３Aが支持金具７１に溶接されており、他方の端部７３ａに調節用のボルト７３−３の下端が取付けられてナット７３−４、７３−５が螺着されて固定される。
【００６６】
細長い板部材７３−２は、一方の端部７３Bが屋根材と一緒に吊りボルト７２によって取付けられ、他方の端部に調節用のボルト７３−３の他端部、すなわち上端部が取付けられナット７３−６、７３−７が螺着されて固定されるようになっている。
【００６７】
従って、上記の如く屋根材に所定の間隔を置いて取り付けられた樋用取付金具７０の支持金具７１に対して、上部が開口した樋５の両側縁の耳部７を、支持金具７１の腕部７６の先端の受部７７に下方から嵌め込んでいけば、樋５を樋用取付金具７０の支持金具７１にしっかりと取り付けることができるようになり、所用する樋５の取付工事が完了し、屋根の軒先に樋５をしっかりと固着して取り付けることができる。
【００６８】
（実施例８）
図１０は、本発明の樋用取付金具の第８の実施例を示す概要正面図である。
【００６９】
図示されるように、本実施例においては、樋５の断面形状が上記実施例と幾分異なっており、樋５の前側の側壁が高くなっていて、縁部に窪み部８が設けられており、この窪み部８が樋５の長手方向に沿って延びるように形成されている。このような一方の側壁が高くなった前高の樋５が、本実施例の樋用取付金具８０を用いて屋根の軒先に設置されるように用いられる。
【００７０】
図示されるように、樋用取付金具８０は、支持金具８１の一方の腕部８６Ａの形状が異なっており、特異な形状をなしている。
【００７１】
すなわち、図示されるように、支持金具８１は、細長い金属板材を折り曲げて形成されて中央に凹部８５が設けられ、この凹部８５から左右に腕部８６Ａ、８６Ｂが延びている。支持金具８１の一方の腕部８６Ａは、他方の腕部８６Ｂよりも幾分上方に位置するように形成され、腕部８６Ａの先端が上向きに略直角に折り曲げられており、更に、この腕部８６Aに補強部材８３の下端の折曲部８３Aが溶接等によって固着されている。また、補強部材８３の上端の折曲部８３Bは、先の第１乃至第３、第６の実施例等と同様に吊りボルト８２の上端に屋根材２と一緒に取付けられている。更に、支持金具８１の他方の腕部８６Ｂは、上記第１乃至第７の実施例におけると同様に、腕部８６Ｂの先端が下側に向かって折り曲げられていて、樋５の開口縁部６の耳部７を受ける受部８７が端部８１Ｂに形成されている。更に、この受部８７に対向して、支持金具８１の中央から外方に延びるばね板８８が支持金具８１の中央下面に溶接して取付けられており、樋５の取付け時にばね板８８の自由端部が押されて弾性変形して樋５の耳部７が係止できるようになっている。
【００７２】
支持金具８１の略中央の孔８４に吊りボルト８２が通されてナット８９ａ、８９ｂにより固着され、支持金具８１を吊りボルト８２を介して屋根材１に対して略水平状態に吊り下げ支持して取付けられるようになっている。吊りボルト８２の上端は、皿形座金８９Ａと平座金８９Ｂ及び緩衝リング８９Ｃを介して複数個のナット８９ｃ、８９ｄによって屋根材１の山部２に取付けられる。
【００７３】
このように構成された樋用取付金具８０を用いて屋根の軒先に樋５を取付けるには、支持金具８１を、屋根の取り付けるべき位置に配置して、取付けるべき位置の屋根材１の山部２に取付けのための孔を設けて吊りボルト８２の上端部８２ｂを下方から屋根材１の孔に通し、吊りボルト８２の下端部８２ａが支持金具８１の凹部８５の中央の位置に来るようにする。
【００７４】
次いで、吊りボルト８２の下端部８２ａに支持金具８１を取付けてナット８９ａ、８９ｂによって取付けて所要の長さに吊りボルト８２を調整して支持金具８１をしっかりと固着する。こうして、必要な数の支持金具８１と吊りボルト８２を屋根材１に所要の間隔を置いて取り付けたならば、前高の樋５の前壁の窪み部８に、支持金具８１の腕部８６Ａの先端部を差し込んで取付けると同時に、樋５の後壁の側縁６の耳部７を、ばね板８８を押圧するように押し込んで受部８１Ｂに樋５の耳部７を嵌め込んで取付ける。
【００７５】
これによって、支持金具８１に樋５が迅速に、しかも簡単に取付けることができるようになっている。
【００７６】
従って、屋根材１に所定の間隔を置いて取り付けられた樋用取付金具８０の支持金具８１に対して、上部が開口した前高の樋５を、支持金具８１の腕部８６Ａ、８６Ｂの先端部にしっかりと取付けることができるようになり、所用する樋５の取付工事が完了し、屋根１の軒先に樋５をしっかりと固着して取付けることができる。
【図面の簡単な説明】
【００７７】
【図１】本発明の樋用取付金具の第１の実施例を示す正面概要図、
【図２】図１の側面概要図、
【図３】本発明の樋用取付金具の第２の実施例を示す正面概要図、
【図４】図３の側面概要図、
【図５】本発明の樋用取付金具の第３の実施例を示す正面概要図、
【図６】本発明の樋用取付金具の第４の実施例を示す正面概要図、
【図７】本発明の樋用取付金具の第５の実施例を示す正面概要図、
【図８】本発明の樋用取付金具の第６の実施例を示す正面概要図、
【図９】本発明の樋用取付金具の第７の実施例を示す正面概要図、
【図１０】本発明の樋用取付金具の第８の実施例を示す正面概要図である。
【符号の説明】
【００７８】
１・・屋根材、
２・・山部、
３・・谷部、
５・・樋、
７・・耳部、
８・・窪み部
１０、２０、３０、４０、５０、６０、７０、８０・・樋用取付金具、
１１、２１、３１、４１、５１、６１、７１、８１・・支持金具、
１２、２２、３２、４２、５２、６２、７２、８２・・吊りボルト、
１３、２３、３３、４３、５３、６３、７３、８３・・補強部材。
【図１】
2009084874.tif 000003
【図２】
2009084874.tif 000004
【図３】
2009084874.tif 000005
【図４】
2009084874.tif 000006
【図５】
2009084874.tif 000007
【図６】
2009084874.tif 000008
【図７】
2009084874.tif 000009
【図８】
2009084874.tif 000010
【図９】
2009084874.tif 000011
【図１０】
2009084874.tif 000012